【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
ＲF−ＱSを含む水性皮膜形成フォーム処方物であって、
ＲFは、２以上の部分を有するシステムの第１部分でＱSよりも高い親和力を有しており、
ＱSは、前記システムの第２部分でＲFよりも高い親和力を有しており、
ＲFは２以上の−ＣＦ3基と２以上の水素を含んでいることを特徴とする処方物。
【請求項２】
ＲFはＱSに対して疎水性であることを特徴とする請求項１記載の処方物。
【請求項３】
ＱSはＲFに対して親水性であることを特徴とする請求項１記載の処方物。
【請求項４】
ＲFは疎水性であり、ＱSは親水性であることを特徴とする請求項１記載の処方物。
【請求項５】
ＲFは１以上の−ＣＦ2基を含むことを特徴とする請求項１記載の処方物。
【請求項６】
ＲFは１以上の環状基を含むことを特徴とする請求項１記載の処方物。
【請求項７】
環状基は芳香族基を含むことを特徴とする請求項６記載の処方物。
【請求項８】
ＲFは１以上の（ＣＦ3）2ＣＦ基を含むことを特徴とする請求項１記載の処方物。
【請求項９】
ＲFは３以上の−ＣＦ3基を含むことを特徴とする請求項１記載の処方物。
【請求項１０】
ＲFは２以上の（ＣＦ3）2ＣＦ基を含むことを特徴とする請求項１記載の処方物。
【請求項１１】
ＲFは４以上の炭素を含んでおり、その1つは−ＣＨ2基を含んでいることを特徴とする請求項１記載の処方物。
【請求項１２】
ＲF−ＱSは
【化１】
2007528917.tif 000001
であることを特徴とする請求項１記載の処方物。
【請求項１３】
ＲF−ＱSは
【化２】
2007528917.tif 000002
であることを特徴とする請求項１記載の処方物。
【請求項１４】
ＲF−ＱSは
【化３】
2007528917.tif 000003
であることを特徴とする請求項１記載の処方物。
【請求項１５】
ＲF−ＱSは
【化４】
2007528917.tif 000004
であることを特徴とする請求項１記載の処方物。
【請求項１６】
ＲF−ＱSは
【化５】
2007528917.tif 000005
であることを特徴とする請求項１記載の処方物。
【請求項１７】
ＲF−ＱSは
【化６】
2007528917.tif 000006
であることを特徴とする請求項１記載の処方物。
【請求項１８】
ＲF−ＱSは
【化７】
2007528917.tif 000007
であることを特徴とする請求項１記載の処方物。
【請求項１９】
ＲF−ＱSは
【化８】
2007528917.tif 000008
であることを特徴とする請求項１記載の処方物。
【請求項２０】
ＲF−ＱSは
【化９】
2007528917.tif 000009
であることを特徴とする請求項１記載の処方物。
【請求項２１】
ＲF−ＱSは
【化１０】
2007528917.tif 000010
であることを特徴とする請求項１記載の処方物。
【請求項２２】
ＲF−ＱSは
【化１１】
2007528917.tif 000011
であることを特徴とする請求項１記載の処方物。
【請求項２３】
ＲF−ＱSは
【化１２】
2007528917.tif 000012
であることを特徴とする請求項１記載の処方物。
【請求項２４】
ＲF−ＱSは
【化１３】
2007528917.tif 000013
であることを特徴とする請求項１記載の処方物。
【請求項２５】
ＲF−ＱSは
【化１４】
2007528917.tif 000014
であることを特徴とする請求項１記載の処方物。
【請求項２６】
ＲF−ＱSは
【化１５】
2007528917.tif 000015
であることを特徴とする請求項１記載の処方物。
【請求項２７】
ＲF−ＱSは
【化１６】
2007528917.tif 000016
であることを特徴とする請求項１記載の処方物。
【請求項２８】
ＲF−ＱSは
【化１７】
2007528917.tif 000017
であることを特徴とする請求項１記載の処方物。
【請求項２９】
ＲF−ＱSは
【化１８】
2007528917.tif 000018
であることを特徴とする請求項１記載の処方物。
【請求項３０】
ＲF−ＱSは
【化１９】
2007528917.tif 000019
であることを特徴とする請求項１記載の処方物。
【請求項３１】
ＲF−ＱSは
【化２０】
2007528917.tif 000020
であることを特徴とする請求項１記載の処方物。
【請求項３２】
ＲF−ＱSは
【化２１】
2007528917.tif 000021
であることを特徴とする請求項１記載の処方物。
【請求項３３】
ＲF−ＱSは
【化２２】
2007528917.tif 000022
であることを特徴とする請求項１記載の処方物。
【請求項３４】
ＲF−ＱSは
【化２３】
2007528917.tif 000023
であることを特徴とする請求項１記載の処方物。
【請求項３５】
ＲF−ＱFSを含むフォーム安定剤であって、ＲFはＱFSに対して疎水性であり、ＲFは２以上の−ＣＦ3基と２以上の水素を含んでいることを特徴とするフォーム安定剤。
【請求項３６】
ＲFは１以上の−ＣＨ2基を含んでいることを特徴とする請求項３５記載の安定剤。
【請求項３７】
ＲFは１以上の環状基を含んでいることを特徴とする請求項３５記載の安定剤。
【請求項３８】
環状基は芳香族基を含んでいることを特徴とする請求項３７記載の安定剤。
【請求項３９】
ＲFは１以上の（ＣＦ3）2ＣＦ基を含んでいることを特徴とする請求項３５記載の安定剤。
【請求項４０】
ＲFは３以上の−ＣＦ3基を含んでいることを特徴とする請求項３５記載の安定剤。
【請求項４１】
ＲFは２以上の（ＣＦ3）2ＣＦ基を含んでいることを特徴とする請求項３５記載の安定剤。
【請求項４２】
ＲFは４以上の炭素を含んでおり、その１つは−ＣＨ2基を含んでいることを特徴とする請求項３５記載の安定剤。
【請求項４３】
ＲF−ＱFSは
【化２４】
2007528917.tif 000024
であることを特徴とする請求項３５記載の安定剤。
【請求項４４】
ＲF−ＱFSは
【化２５】
2007528917.tif 000025
であることを特徴とする請求項３５記載の安定剤。
【請求項４５】
ＲF−ＱFSは
【化２６】
2007528917.tif 000026
であることを特徴とする請求項３５記載の安定剤。
【請求項４６】
ＲF−ＱFSは
【化２７】
2007528917.tif 000027
であることを特徴とする請求項３５記載の安定剤。
【請求項４７】
ＲF−ＱFSは
【化２８】
2007528917.tif 000028
であることを特徴とする請求項３５記載の安定剤。
【請求項４８】
ＲF−ＱFSは
【化２９】
2007528917.tif 000029
であることを特徴とする請求項３５記載の安定剤。
【請求項４９】
ＲF−ＱFSは
【化３０】
2007528917.tif 000030
であることを特徴とする請求項３５記載の安定剤。
【請求項５０】
ＲF−ＱFSは
【化３１】
2007528917.tif 000031
であることを特徴とする請求項３５記載の安定剤。
【請求項５１】
ＲF−ＱFSは
【化３２】
2007528917.tif 000032
であることを特徴とする請求項３５記載の安定剤。
【請求項５２】
ＲF−ＱFSは
【化３３】
2007528917.tif 000033
であることを特徴とする請求項３５記載の安定剤。
【請求項５３】
ＲF−ＱFSは
【化３４】
2007528917.tif 000034
であることを特徴とする請求項３５記載の安定剤。
【請求項５４】
ＲF−ＱFSは
【化３５】
2007528917.tif 000035
であることを特徴とする請求項３５記載の安定剤。
【請求項５５】
ＲF−ＱFSは
【化３６】
2007528917.tif 000036
であることを特徴とする請求項３５記載の安定剤。
【請求項５６】
ＲF−ＱFSは
【化３７】
2007528917.tif 000037
であることを特徴とする請求項３５記載の安定剤。
【請求項５７】
ＲF−ＱFSは
【化３８】
2007528917.tif 000038
であることを特徴とする請求項３５記載の安定剤。
【請求項５８】
ＲF−ＱFSは
【化３９】
2007528917.tif 000039
であることを特徴とする請求項３５記載の安定剤。
【請求項５９】
ＲF−ＱFSは
【化４０】
2007528917.tif 000040
であることを特徴とする請求項３５記載の安定剤。
【請求項６０】
ＲF−ＱFSは
【化４１】
2007528917.tif 000041
であり、Ｘはハロゲンを含んでいることを特徴とする請求項３５記載の安定剤。